(57)【要約】【課題】印刷処理の続きが再開された位置を認識し易くすることが可能な印刷装置の制御装置を提供する。【解決手段】印刷装置の制御装置４０は、印刷媒体に画像を印刷して印刷物を順次生成し、生成された印刷物を順次排出して複数枚の印刷物を積み重ねる、印刷装置による印刷処理の途中において、正常な印刷物の排出を妨げる障害が発生した場合、当該障害が解消された後に、上記印刷処理の続きを印刷装置に再開させる印刷制御部４１と、上記印刷処理の再開が行われる場合、再開前に正常に排出された印刷物と再開後に排出される印刷物との間に目印を挿入する処理を印刷装置に実行させる目印挿入制御部４２と、を有する。【選択図】図３
2008262103.tif 000002
【特許請求の範囲】
【請求項１】
印刷媒体に画像を印刷して印刷物を順次生成し、生成された印刷物を順次排出して複数枚の印刷物を積み重ねる、印刷装置による印刷処理の途中において、正常な印刷物の排出を妨げる障害が発生した場合、前記障害が解消された後に、前記印刷処理の続きを前記印刷装置に再開させる印刷制御手段と、
前記印刷処理の再開が行われる場合、再開前に正常に排出された印刷物と再開後に排出される印刷物との間に目印を挿入する処理を前記印刷装置に実行させる目印挿入制御手段と、
を有することを特徴とする印刷装置の制御装置。
【請求項２】
請求項１に記載の印刷装置の制御装置であって、
前記目印を挿入する処理は、前記印刷処理に用いられる印刷媒体が収容されたトレイとは異なるトレイからシートを取り出し、当該シートを前記目印として挿入する処理である、
ことを特徴とする印刷装置の制御装置。
【請求項３】
請求項２に記載の印刷装置の制御装置であって、
前記印刷装置は、
印刷媒体に画像を印刷して印刷物を生成する印刷部と、
前記印刷部から前記印刷物を受け取って排出する排出部と、
を含み、
前記目印となるシートが取り出されるトレイは、前記印刷部の後段にシートを供給するトレイである、
ことを特徴とする印刷装置の制御装置。
【請求項４】
請求項１から３のいずれか１項に記載の印刷装置の制御装置であって、
前記目印挿入制御手段は、前記目印を挿入する処理の実行前に、前記印刷装置に対する目印のセットを利用者に促し、セットされた目印を挿入する処理を前記印刷装置に実行させる、
ことを特徴とする印刷装置の制御装置。
【請求項５】
印刷媒体に画像を印刷して印刷物を生成して排出する印刷装置と、
印刷媒体に画像を印刷して印刷物を順次生成し、生成された印刷物を順次排出して複数枚の印刷物を積み重ねる、前記印刷装置による印刷処理の途中において、正常な印刷物の排出を妨げる障害が発生した場合、前記障害が解消された後に、前記印刷処理の続きを前記印刷装置に再開させる印刷制御手段と、
前記印刷処理の再開が行われる場合、再開前に正常に排出された印刷物と再開後に排出される印刷物との間に目印を挿入する処理を前記印刷装置に実行させる目印挿入制御手段と、
を有することを特徴とする印刷システム。
【請求項６】
コンピュータに、
印刷媒体に画像を印刷して印刷物を順次生成し、生成された印刷物を順次排出して複数枚の印刷物を積み重ねる、印刷装置による印刷処理の途中において、正常な印刷物の排出を妨げる障害が発生した場合、前記障害が解消された後に、前記印刷処理の続きを前記印刷装置に再開させる手順と、
前記印刷処理の再開が行われる場合、再開前に正常に排出された印刷物と再開後に排出される印刷物との間に目印を挿入する処理を前記印刷装置に実行させる手順と、
を実行させることを特徴とする印刷装置の制御プログラム。
【発明の詳細な説明】
【技術分野】
【０００１】
本発明は、印刷装置の制御装置、印刷システム、および印刷装置の制御プログラムに関する。
【背景技術】
【０００２】
複写機やプリンタなどの印刷装置において、複数ページの印刷処理において紙詰まり（ジャムともいう）が発生した場合、紙詰まりとなったシートやそれに巻き込まれたシートが取り除かれた後に、印刷処理を再開させるものが知られている。このとき、紙詰まりが発生して印刷処理が停止するまでに正常に排出されたページの次のページから印刷処理が再開される。
【０００３】
紙詰まり後に印刷処理が再開された場合、再開された位置で、ページの抜けや、ページの重複、画像の異常などが発生していないかを視認して確認したいという要望がある。
【０００４】
このような要望に対して、再開後の１枚目のシートをずらして排出することで、再開位置（リカバリポイントともいう）を確認可能にする機能が提供されている。
【０００５】
なお、特許文献１には、複写機とソーターとの間に両装置を接続するようにして設けられ、コピーページの間に合紙を挿入する自動用紙挿入装置が記載されている。
【０００６】
また、特許文献２には、画像形成装置により一連の画像形成処理を経て、画像形成装置の排紙部に排出された記録紙の間に合紙を挿入する合紙挿入装置において、上記排紙部の近傍に設置され、合紙を排紙部へ直接排出するものが記載されている。
【０００７】
【特許文献１】特開昭６３−１３４４７２号公報
【特許文献２】特開平３−２０６４４９号公報
【発明の開示】
【発明が解決しようとする課題】
【０００８】
ところで、紙詰まり等の障害が発生した場合に当該障害が解消された後に印刷処理の続きが再開される印刷装置においては、再開された位置をより認識し易くしたいという要望がある。
【０００９】
印刷処理の続きが再開された位置を認識し易くすることが可能な印刷装置の制御装置を提供することを目的とする。
【課題を解決するための手段】
【００１０】
本発明に係る印刷装置の制御装置は、印刷媒体に画像を印刷して印刷物を順次生成し、生成された印刷物を順次排出して複数枚の印刷物を積み重ねる、印刷装置による印刷処理の途中において、正常な印刷物の排出を妨げる障害が発生した場合、前記障害が解消された後に、前記印刷処理の続きを前記印刷装置に再開させる印刷制御手段と、前記印刷処理の再開が行われる場合、再開前に正常に排出された印刷物と再開後に排出される印刷物との間に目印を挿入する処理を前記印刷装置に実行させる目印挿入制御手段と、を有することを特徴とする。
【００１１】
本発明の一態様では、前記目印を挿入する処理は、前記印刷処理に用いられる印刷媒体が収容されたトレイとは異なるトレイからシートを取り出し、当該シートを前記目印として挿入する処理である。
【００１２】
また、本発明の一態様では、前記印刷装置は、印刷媒体に画像を印刷して印刷物を生成する印刷部と、前記印刷部から前記印刷物を受け取って排出する排出部と、を含み、前記目印となるシートが取り出されるトレイは、前記印刷部の後段にシートを供給するトレイである。
【００１３】
また、本発明の一態様では、前記目印挿入制御手段は、前記目印を挿入する処理の実行前に、前記印刷装置に対する目印のセットを利用者に促し、セットされた目印を挿入する処理を前記印刷装置に実行させる。
【００１４】
本発明に係る印刷システムは、印刷媒体に画像を印刷して印刷物を生成して排出する印刷装置と、印刷媒体に画像を印刷して印刷物を順次生成し、生成された印刷物を順次排出して複数枚の印刷物を積み重ねる、前記印刷装置による印刷処理の途中において、正常な印刷物の排出を妨げる障害が発生した場合、前記障害が解消された後に、前記印刷処理の続きを前記印刷装置に再開させる印刷制御手段と、前記印刷処理の再開が行われる場合、再開前に正常に排出された印刷物と再開後に排出される印刷物との間に目印を挿入する処理を前記印刷装置に実行させる目印挿入制御手段と、を有することを特徴とする。
【００１５】
本発明に係る印刷装置の制御プログラムは、コンピュータに、印刷媒体に画像を印刷して印刷物を順次生成し、生成された印刷物を順次排出して複数枚の印刷物を積み重ねる、印刷装置による印刷処理の途中において、正常な印刷物の排出を妨げる障害が発生した場合、前記障害が解消された後に、前記印刷処理の続きを前記印刷装置に再開させる手順と、前記印刷処理の再開が行われる場合、再開前に正常に排出された印刷物と再開後に排出される印刷物との間に目印を挿入する処理を前記印刷装置に実行させる手順と、を実行させることを特徴とする。
【発明の効果】
【００１６】
請求項１に記載の発明によれば、印刷処理の続きが再開された位置を認識し易くすることが可能となる。
【００１７】
請求項２に記載の発明によれば、目印として挿入されたシートを認識し易くすることが可能となる。
【００１８】
請求項３に記載の発明によれば、目印となるシートが印刷部を通過することによる不利益を回避することが可能となる。
【００１９】
請求項４に記載の発明によれば、所望の種類の目印を挿入することが可能となる。
【００２０】
請求項５に記載の発明によれば、印刷処理の続きが再開された位置を認識し易くすることが可能となる。
【００２１】
請求項６に記載の発明によれば、印刷処理の続きが再開された位置を認識し易くすることが可能となる。
【発明を実施するための最良の形態】
【００２２】
以下、本発明の実施の形態を図面に従って説明する。
【００２３】
図１は、本実施の形態に係る印刷システム１の構成の一例を示すブロック図である。図１において、印刷システム１は、画像読取装置１０、印刷装置２０、ユーザインタフェース（ＵＩ）装置３０、および制御装置４０を含む。
【００２４】
画像読取装置１０は、プラテン方式やシートスルー方式などにより、原稿の画像を光学的に読み取って画像データを生成する装置である。
【００２５】
印刷装置２０は、印刷媒体に画像を印刷して印刷物を生成し、生成された印刷物を排出する装置である。本実施の形態では、印刷媒体は、紙やＯＨＰシート等のシートであり、印刷物は、片面または両面に画像が印刷されたシートである。また、本実施の形態では、印刷装置２０は、電子写真方式により印刷を行うものである。ただし、印刷装置２０は、インクジェット方式など、他の印刷方式により印刷を行うものでもよい。
【００２６】
ＵＩ装置３０は、情報を表示したり、利用者からの情報の入力を受け付けたりする装置であり、例えば、タッチパネル式の液晶ディスプレイである。ここで、表示される情報としては、例えば、印刷システム１の状況を示す情報や、印刷システム１による各種の処理の状況を示す情報などがある。また、受け付けられる情報としては、例えば、印刷システム１の設定情報や、各種の処理の設定情報、各種の処理の開始指示などがある。
【００２７】
制御装置４０は、上記各装置１０〜３０を制御する装置である。本実施の形態では、制御装置４０は、コンピュータであり、制御装置４０の処理は、ＲＯＭ（Read Only Memory）等の記録媒体に記録された制御プログラムがメインメモリに読み出されてＣＰＵ（Central Processing Unit）により実行されることによって実現される。上記の制御プログラムは、ＣＤ−ＲＯＭ等の記録媒体に記録されて提供されることも可能であるし、データ信号として通信により提供されることも可能である。ただし、制御装置４０の処理の一部または全部は、ハードウェアのみにより実現されてもよい。
【００２８】
なお、上記印刷システム１は、物理的に１つの装置により実現されてもよいし、互いに通信可能に接続された複数の装置により実現されてもよい。
【００２９】
図２は、印刷装置２０の構成の一例を示す概略図である。以下、図２を参照して、印刷装置２０の構成について説明する。
【００３０】
図２において、印刷装置２０は、印刷媒体に画像を印刷して印刷物を生成する印刷部２１と、当該印刷部２１から上記印刷物を受け取って排出する排出部２２とを含む。
【００３１】
印刷部２１は、それぞれシートを収容する１または複数のトレイを有する。図２の例では、印刷部２１は、例えばカセット式の４つのシートトレイ６１〜６４と、手差しトレイ６５とを有する。また、印刷部２１は、トレイ６１〜６５から供給されるシート上に画像を形成する画像形成部７１を有する。この画像形成部７１は、例えば、制御装置４０から画像データを受け取り、当該画像データに基づき感光体上にトナー像を形成し、当該トナー像をシート上に転写し、当該転写された未定着のトナー像をシートに定着させる。
【００３２】
また、印刷部２１は、トレイ６１〜６５に収容されたシートを画像形成部７１経由で排出部２２へ搬送するための搬送経路７２と、シートの面の向きを反転させるための搬送経路７３と、両面印刷用の搬送経路７４とを有する。また、印刷部２１は、トレイ６１〜６５からシートを取り出し、当該シートを搬送経路７２〜７４に沿って搬送する不図示のシート搬送機構を備えている。
【００３３】
片面印刷においては、トレイ６１〜６５の何れかからシートが取り出され、当該シートは、搬送経路７２に沿って搬送され、画像形成部７１で画像が形成された後、印刷物として排出部２２に送り出される。または、画像が形成されたシートは、反転用の搬送経路７３でスイッチバックされて面の向きが反転された後、搬送経路７２に戻されて印刷物として排出部２２に送り出される。
【００３４】
両面印刷においては、トレイ６１〜６５の何れかからシートが取り出され、当該シートは、搬送経路７２に沿って搬送され、画像形成部７１でシートの一方面に画像が形成される。当該画像が形成されたシートは、反転用の搬送経路７３でスイッチバックされた後、両面印刷用の搬送経路７４に沿って搬送され、画像形成部７１の手前で搬送経路７２に戻され、画像形成部７１でシートの他方面に画像が形成された後、印刷物として排出部２２に送り出される。
【００３５】
さらに、印刷部２１は、搬送経路７２〜７４の１箇所以上の所定位置におけるシートの有無を検出する１つ以上の不図示のシートセンサを有する。また、印刷部２１は、搬送経路７２に沿って搬送されるシートの種類を検出する不図示のシート種類検出センサを有する。シート種類検出センサは、例えば、シートのサイズ（長さ、幅、または厚さ）を検出するセンサや、シートの透過率や反射率を光学的に検出するセンサなどである。
【００３６】
排出部２２は、印刷部２１により画像が印刷されたシート（印刷物）の排出先として、排出トレイ８０を有する。図２の例では、排出トレイ８０は、トップトレイ８１と、その下方に配置されたスタッカ８２とを含む。
【００３７】
また、排出部２２は、印刷部２１から送り出された印刷物を排出トレイ８０へ搬送するための搬送経路８３を有する。
【００３８】
また、排出部２２は、印刷部２１の後段にシートを供給するトレイとして、搬送経路８３にシートを供給する挿入用トレイ８４を有する。ここで、挿入用トレイ８４は、印刷用のシートを供給するものではなく、表紙、合紙、仕切り紙などの挿入用のシートを供給するものである。挿入用トレイ８４には、例えば、印刷済みの用紙、白紙、色紙、ＯＨＰシートなどの適宜のシートがセットされる。
【００３９】
さらに、排出部２２は、搬送経路８３の１箇所以上の所定位置におけるシートの有無を検出する１つ以上の不図示のシートセンサを有する。このシートセンサは、排出トレイ８０の直前に配置された排出センサを含む。
【００４０】
図３は、制御装置４０の構成の一例を示すブロック図である。以下、図３を参照して、制御装置４０の構成について説明する。
【００４１】
図３において、制御装置４０は、印刷制御部４１と、目印挿入制御部４２とを有する。
【００４２】
印刷制御部４１は、印刷媒体に画像を印刷して印刷物を順次生成し、生成された印刷物を順次排出して複数枚の印刷物を積み重ねる、印刷装置２０による印刷処理の途中において、正常な印刷物の排出を妨げる障害が発生した場合、当該障害が解消された後に、上記印刷処理の続きを印刷装置２０に再開させる。
【００４３】
具体的には、印刷制御部４１は、ＵＩ装置３０を介して受け付けられた利用者からの印刷指示、または通信路を介して受け付けられた外部の情報処理装置（例えばパーソナルコンピュータ）からの印刷指示に基づき、印刷媒体に画像を印刷して印刷物を順次生成し、生成された印刷物を順次排出して複数枚の印刷物を積み重ねる印刷処理を印刷装置２０に実行させる。この場合、印刷制御部４１は、印刷媒体の種類に応じた印刷条件で印刷装置２０に印刷を実行させる。例えば、印刷制御部４１は、各トレイ６１〜６５に収容されるシートの種類の設定を利用者から受け付け、設定されたシートの種類に応じた印刷条件で印刷装置２０に印刷を実行させる。上記印刷条件としては、例えば、画質等の調整用のパラメータ（転写電圧、定着温度など）や、装置内でのシートの搬送速度などがある。なお、印刷部２１の後段にシートを供給するトレイ（例えば挿入用トレイ８４）については、当該トレイから供給されるシートは印刷に用いられないので、シートの種類の設定は不要である。
【００４４】
上記印刷処理を印刷装置２０に実行させている間、印刷制御部４１は、正常な印刷物の排出を妨げる障害が発生したか否かを継続的に判断する。ここで、上記正常な印刷物の排出を妨げる障害が発生した場合としては、例えば、シートの紙詰まりが発生した場合や、印刷処理用のトレイの中に利用者の設定と異なる種類のシートが混入していた場合などが挙げられる。印刷制御部４１は、印刷処理の実行中、例えば、シートセンサの出力を監視してシートの紙詰まりの発生を検知したり、シート種類検出センサの出力を監視してトレイから取り出されたシートの種類が予め設定されたシートの種類と異なる事象を検知したりする。
【００４５】
そして、印刷制御部４１は、上記印刷処理の途中において上記障害が発生したと判断された場合、上記障害が解消された後に、上記印刷処理の続きを印刷装置２０に再開させる。例えば、印刷制御部４１は、上記印刷処理の途中において紙詰まりが検知された場合、印刷処理を中断させ、印刷装置２０内のシートの除去をＵＩ装置３０を介して利用者に促し、シートセンサ等のセンサの出力等に基づいてシートの除去の完了を検知すると、上記印刷処理の続きを印刷装置２０に再開させる。また、例えば、印刷制御部４１は、上記印刷処理の途中において、トレイから取り出されたシートの種類が予め設定されたシートの種類と異なるという事象が検知された場合、当該シートを排出トレイ８０に排出した後に、上記印刷処理の続きを印刷装置２０に再開させる。
【００４６】
ここで、上記印刷処理の続きを印刷装置２０に再開させる処理は、例えば次のように行われる。印刷制御部４１は、排出されるべき複数の印刷物のうち何番目の印刷物まで再開前に正常に排出されたかを認識し、認識された印刷物の次に排出されるべき印刷物の生成から印刷処理を再開させる。例えば、印刷制御部４１は、Ｎ番目（Ｎは１以上の整数）の印刷物が正常に排出されたことを認識した後、紙詰まりを検知すると、当該紙詰まりが解消された後、（Ｎ＋１）番目の印刷物の生成から印刷処理を再開させる。
【００４７】
ここで、印刷物が正常に排出されたことは、例えば次のように認識される。印刷制御部４１は、トレイから取り出された各シートについて、当該シートの種類が予め設定されたシートの種類と異なるか否かを判断するとともに、排出トレイ８０の直前に配置されたシートセンサ（排出センサ）の出力に基づき、当該シートが排出トレイ８０に排出されたか否かを判断する。そして、トレイから取り出されたシートについて、予め設定されたシートの種類と異なると判断されずに、排出トレイ８０に排出されたと判断された場合、印刷制御部４１は、当該シートが印刷物として正常に排出されたと認識する。
【００４８】
目印挿入制御部４２は、印刷制御部４１による上記印刷処理の再開が行われる場合、再開前に正常に排出された印刷物と再開後に排出される印刷物との間に目印を挿入する処理を印刷装置２０に実行させる。
【００４９】
上記目印としては、例えば、シートトレイ６１〜６４に収容されたシートが用いられる。また、上記目印としては、例えば、所望の種類のシートを目印として容易にセット可能である観点より、手差しトレイ６５に収容されたシートが用いられる。また、上記目印としては、例えば、目印となるシートが印刷部２１を通過することによる不利益を回避する観点より、印刷部２１の後段にシートを供給するトレイ（例えば挿入用トレイ８４）に収容されたシートが用いられる。
【００５０】
一つの態様では、上記目印として挿入されるシートとしては、当該シートを判別し易くする観点より、印刷処理に用いられる印刷媒体と異なる種類のシートが用いられる。例えば、印刷処理に用いられる印刷媒体が白い用紙である場合、目印として挿入されるシートとしては、色付きの用紙やＯＨＰシートが用いられる。また、一つの態様では、目印となるシートを抜き取りやすくする観点より、目印となるシートとして、例えばＯＨＰシートのように表面が滑らかなシートが用いられる。
【００５１】
また、一つの態様では、印刷処理に用いられる印刷媒体とは異なる種類のシートを挿入することを可能にする観点より、上記目印を挿入する処理は、上記印刷処理に用いられる印刷媒体が収容されたトレイとは異なるトレイからシートを取り出し、当該シートを上記目印として挿入する処理である。ただし、目印となるシートが取り出されるトレイは、印刷処理に用いられる印刷媒体が収容されたトレイであってもよい。
【００５２】
また、一つの態様では、印刷処理に用いられる印刷媒体とは異なる種類のシートを挿入することを可能にする観点より、目印挿入制御部４２は、利用者からのトレイの選択を受け付け、選択されたトレイに収容されたシートを挿入させる。ここで、選択可能なトレイとしては、例えば、シートトレイ６１〜６４、手差しトレイ６５、印刷部２１の後段にシートを供給するトレイ（例えば挿入用トレイ８４）などがある。また、別の一つの態様では、目印挿入制御部４２が、目印となるシートが取り出されるトレイを特定する。この場合における一態様では、目印となるシートを判別し易くする観点より、目印挿入制御部４２は、印刷処理に用いられる印刷媒体と異なる種類のシートが収容されたトレイを、目印としてのシートが取り出されるトレイとして選択する。
【００５３】
また、一つの態様では、目印挿入制御部４２は、目印を挿入する処理の実行前に、印刷装置２０に対する目印のセットを利用者に促し、これに応じてセットされた目印を挿入させる。例えば、目印挿入制御部４２は、障害が解消された後、目印となるシートのセットを利用者に促すメッセージをＵＩ装置３０に表示させ、利用者からの操作入力やセンサ出力などに基づいてシートがセットされたことを検知すると、当該セットされたシートが目印として挿入されるように印刷装置２０を制御する。この場合、目印挿入制御部４２は、目印となるシートがセットされるべきトレイや、セットされるべきシートの種類を利用者に指示してもよい。この場合、目印挿入制御部４２は、上記セットされるべきトレイの設定や、上記セットされるべきシートの種類の設定を、予め利用者から受け付けて記憶していてもよい。また、目印挿入制御部４２は、目印用のシートが取り出されるトレイとして手差しトレイ６５が利用者により指定されている場合に、シートのセットを利用者に促す処理を行い、それ以外のトレイが指定されている場合には、当該処理を行わないようにしてもよい。
【００５４】
また、一つの態様では、目印挿入制御部４２は、ＵＩ装置３０等を介して利用者から目印を挿入するか否かの設定を予め受け付け、挿入する旨が設定されている場合に目印を挿入する処理を実行し、挿入しない旨が設定されている場合には目印を挿入する処理を実行しない。
【００５５】
また、一つの態様では、目印挿入制御部４２は、目印として挿入されたシートを判別し易くする観点より、印刷装置２０を制御して、目印として挿入されるシートの排出位置を印刷物の排出位置に対してずらす。
【００５６】
また、一つの態様では、目印挿入制御部４２は、利用者により選択された目印挿入用のトレイからシートを給紙できない場合、例えば当該トレイにシートが収容されていない場合、別のトレイから目印としてのシートを取り出す。ここで、当該別のトレイは、利用者により選択されてもよいし、目印挿入制御部４２により選択されてもよい。当該一つの態様における一態様では、上記別のトレイは、印刷処理に用いられるトレイである。この態様において、目印挿入制御部４２は、印刷処理に用いられるトレイから目印となるシートを取り出すかどうかの設定を、予めまたはその都度、利用者から受け付けてもよい。
【００５７】
以下、上記構成を有する制御装置４０の動作の一例を説明する。なお、以下の説明では、目印となるシートを「リカバリシート」と称す。
【００５８】
制御装置４０は、予め、ＵＩ装置３０や通信路を介して利用者から、リカバリシートの挿入に関する設定を受け付けて記憶する。具体的には、制御装置４０は、リカバリシートの挿入を行うか否かの設定と、リカバリシートの挿入に使用されるトレイの設定とを受け付ける。
【００５９】
例えば、制御装置４０は、ＵＩ装置３０に表示されたメニュー画面上で、「リカバリシートの設定」ボタンの押下操作を受け付けると、図４に示されるリカバリシートの挿入を行うか否かの選択を受け付ける選択画面をＵＩ装置３０に表示させる。
【００６０】
図４の選択画面上で利用者により「する」が選択された場合、制御装置４０は、リカバリシートの挿入を行う旨を記憶し、図５に示されるリカバリシート用のトレイの選択を受け付けるトレイ選択画面をＵＩ装置３０に表示させる。このトレイ選択画面には、選択可能なトレイのリストが表示される。図５の例では、選択可能なトレイの名称として、シートトレイ６１〜６４に対応する「トレイ１〜４」と、手差しトレイ６５に対応する「手差しトレイ」と、挿入用トレイ８４に対応する「合紙トレイ」とが表示されている。また、各トレイについて、当該トレイに収容されるシートの種類が表示されている。ここで、当該シートの種類は利用者により別途設定されるものである。制御装置４０は、トレイ選択画面上でトレイの選択操作を受け付けると、選択されたトレイを記憶する。
【００６１】
一方、図４の選択画面上で利用者により「しない」が選択された場合、制御装置４０は、リカバリシートの挿入を行わない旨を記憶する。
【００６２】
利用者は、原稿の画像を複写する印刷処理（すなわち複写処理）を印刷システム１に行わせる場合、画像読取装置１０に原稿をセットし、ＵＩ装置３０にて、複写処理の設定情報（例えば、印刷処理に用いられるトレイの設定、片面／両面の設定、部数の設定など）を入力し、スタートボタンを押下する。
【００６３】
制御装置４０は、ＵＩ装置３０を介して上記利用者の操作を受け付けると、画像読取装置１０および印刷装置２０を制御して、上記設定情報に応じた複写処理を実行する。例えば、制御装置４０は、上記設定情報に基づき、画像読取装置１０を制御して、上記セットされた原稿の画像を読み取って画像データを生成し、当該画像データを記憶する。そして、制御装置４０は、上記設定情報に基づき、上記生成された画像データを印刷する印刷処理を印刷装置２０に実行させる。
【００６４】
また、利用者は、情報処理装置内の画像データを印刷する印刷処理を印刷システム１に行わせる場合、印刷対象の画像データおよび印刷処理の設定情報（例えば、印刷処理に用いられるトレイの設定、片面／両面の設定、部数の設定など）を含む印刷指示を、情報処理装置から印刷システム１に送る。
【００６５】
制御装置４０は、通信路を介して上記印刷指示を受けると、上記設定情報に基づき、上記画像データを印刷する印刷処理を印刷装置２０に実行させる。
【００６６】
上記印刷処理が、印刷物を順次生成して複数の印刷物を積み重ねる処理である場合、当該印刷処理が行われている間、制御装置４０は、図６に示される処理を実行する。
【００６７】
図６において、制御装置４０は、紙詰まりが検知されたか否かを判断する（Ｓ１）。
【００６８】
紙詰まりが検知されたと判断された場合（Ｓ１：ＹＥＳ）、制御装置４０は、後述する紙詰まり発生時の処理を実行する（Ｓ１１〜Ｓ１５）。
【００６９】
一方、紙詰まりは検知されていないと判断された場合（Ｓ１：ＮＯ）、制御装置４０は、トレイから取り出されたシートの種類が予め設定されたシートの種類と異なる事象が検知されたか否かを判断する（Ｓ２）。
【００７０】
上記事象が検知されたと判断された場合（Ｓ２：ＹＥＳ）、制御装置４０は、後述するシートの種類が設定と異なる場合の処理を実行する（Ｓ２１〜Ｓ２３）。
【００７１】
一方、上記事象は検知されていないと判断された場合（Ｓ２：ＮＯ）、制御装置４０は、処理をステップＳ１に戻す。すなわち、印刷処理が実行されている間、紙詰まりまたは上記事象が検知されるまで、ステップＳ１，Ｓ２が繰り返される。
【００７２】
紙詰まり発生時の処理は、以下のとおりである。
【００７３】
まず、制御装置４０は、印刷処理を中断させ（Ｓ１１）、印刷装置２０内に残留するシートの除去を促す画面をＵＩ装置３０に表示させる（Ｓ１２）。ここで、除去の対象となるシートは、例えば、中断時に搬送経路上に存在するシートであり、紙詰まりの原因となったシートや、紙詰まりに巻き込まれたシートである。
【００７４】
制御装置４０は、上記シートの除去が完了するまで待機し（Ｓ１３：ＮＯ）、上記シートの除去が完了すると（Ｓ１３：ＹＥＳ）、リカバリシートの排出処理を印刷装置２０に実行させる（Ｓ１４）。当該リカバリシートの排出処理では、印刷装置２０は、利用者により予め選択されたトレイからシートを取り出し、当該シートを搬送経路に沿って排出トレイ８０に排出する。なお、リカバリシートの挿入を行わない旨が設定されている場合には、当該リカバリシートの排出処理は実行されない。
【００７５】
上記リカバリシートが排出された後、制御装置４０は、印刷処理の続きを印刷装置２０に再開させる（Ｓ１５）。すなわち、制御装置４０は、既に正常に排出された印刷物の次の印刷物の生成から、印刷処理を再開させる。なお、再開前に正常に排出された印刷物と再開後に排出される印刷物との間にリカバリシートを挿入することができれば、当該印刷処理の再開は、リカバリシートが排出トレイ８０に排出される前に行われてもよい。
【００７６】
シートの種類が設定と異なる場合の処理は、以下のとおりである。
【００７７】
まず、制御装置４０は、印刷装置２０を制御して、種類が設定と異なると検知されたシートを搬送経路に沿って排出トレイ８０に排出する（Ｓ２１）。
【００７８】
ついで、制御装置４０は、リカバリシートの排出処理を印刷装置２０に実行させる（Ｓ２２）。当該リカバリシートの排出処理では、印刷装置２０は、利用者により予め選択されたトレイからシートを取り出し、当該シートを搬送経路に沿って排出トレイ８０に排出する。なお、リカバリシートの挿入を行わない旨が設定されている場合には、当該リカバリシートの排出処理は実行されない。
【００７９】
上記リカバリシートが排出された後、制御装置４０は、印刷処理の続きを印刷装置２０に再開させる（Ｓ２３）。すなわち、制御装置４０は、既に正常に排出された印刷物の次の印刷物の生成から、印刷処理を再開させる。なお、再開前に正常に排出された印刷物と再開後に排出される印刷物との間にリカバリシートを挿入することができれば、当該印刷処理の再開は、リカバリシートが排出トレイ８０に排出される前に行われてもよい。
【００８０】
なお、本発明は、上記実施の形態に限定されるものではなく、本発明の要旨を逸脱しない範囲内で種々変更することができる。
【００８１】
例えば、正常な印刷物の排出を妨げる障害が発生した場合としては、上記実施の形態で例示されたものに限られず、シートの重送が発生した場合や、印刷処理の途中で印刷用のシートの種類が変化した場合（例えば１枚目が普通紙であったのに２枚目がＯＨＰシートであった場合）なども挙げられる。
【００８２】
また、上記実施の形態では、印刷部の後段にシートを供給するトレイは、目印となるシートを供給するトレイであるとともに、それ以外の挿入シート（合紙、表紙、仕切り紙など）を供給するトレイでもあるが、目印となるシート専用のトレイであってもよい。
【００８３】
また、制御装置４０は、物理的に複数の装置により実現されてもよい。例えば、制御装置４０は、画像読取装置１０に含まれた当該装置１０を制御する画像読取制御装置と、印刷装置２０に含まれた当該装置２０を制御する印刷制御装置と、画像読取制御装置および印刷制御装置に接続された両制御装置を制御する上位の制御装置とで構成されてもよい。
【図面の簡単な説明】
【００８４】
【図１】実施の形態に係る印刷システムの構成の一例を示すブロック図である。
【図２】印刷装置の構成の一例を示す概略図である。
【図３】制御装置の構成の一例を示すブロック図である。
【図４】目印となるシートの挿入を行うか否かの選択を受け付ける選択画面の一例を示す図である。
【図５】目印となるシート用のトレイの選択を受け付けるトレイ選択画面の一例を示す図である。
【図６】制御装置の処理の一例を示すフローチャートである。
【符号の説明】
【００８５】
１  印刷システム、１０  画像読取装置、２０  印刷装置、２１  印刷部、２２  排出部、３０  ＵＩ装置、４０  制御装置、４１  印刷制御部、４２  目印挿入制御部、６１〜６４  シートトレイ、６５  手差しトレイ、７１  画像形成部、７２〜７４  搬送経路、８０  排出トレイ、８１  トップトレイ、８２  スタッカ、８３  搬送経路、８４  挿入用トレイ。
【図１】
2008262103.tif 000003
【図２】
2008262103.tif 000004
【図３】
2008262103.tif 000005
【図４】
2008262103.tif 000006
【図５】
2008262103.tif 000007
【図６】
2008262103.tif 000008